(57)【要約】【課題】  屈曲した空間の清掃を容易に行うことができると共に、コスト高とならない清掃具を提供する。【解決手段】  清掃具１０は、可撓性を有する線材１と、線材１の一方の端部に取り付けられた清掃体２と、線材１の他方の端部に取り付けられた把持体３とを有しており、清掃体２は、線材１に着脱自在に取り付けられている。また、線材１は、可撓性を有する弾性部材４によって覆われている。そのため、屈曲した空間を容易に清掃でき、清掃体が擦り減った場合の対応も容易な清掃具となる。【選択図】図１
0003202593.tif 000002
【実用新案登録請求の範囲】
【請求項１】
可撓性を有する線材と、
前記線材の一方の端部に取り付けられた清掃体と、
前記線材の他方の端部に取り付けられた把持体と、
を有することを特徴とする清掃具。
【請求項２】
清掃体は、線材に着脱自在に取り付けられていることを特徴とする請求項１に記載の清掃具。
【請求項３】
線材を覆う弾性部材を有することを特徴とする請求項１又は２に記載の清掃具。
【考案の詳細な説明】
【技術分野】
【０００１】
本考案は、被清掃面として特に狭い空間や屈曲した空間等、通常は手の届き難い空間に付着した塵埃を除去する用途に適した清掃具に関するものである。
【背景技術】
【０００２】
従来から、鎧戸の清掃を行うブラシとして、ブラシが植設された頭部と使用者が把持する柄との間を回転軸によって連結し、柄を３６０度回転可能とすることにより様々な姿勢で掃除することができるようにした鎧戸用ブラシが知られている（特許文献１）。
【０００３】
また、遊技機の凹凸が形成された狭い空間を清掃する道具として、後端側を堅牢なシェル部とし、前端側を弾性変形可能な弾性部として、細長い内部通路を有する外筒部と、後端側を堅牢な棒材部とし、前端側を可撓性の線材部として、外筒部の内部通路に往復運動可能に挿通された清掃材可動手段と、この清掃材可動手段の先端部に固定された清掃材とを設けた掃除道具が知られている（特許文献２）。
【先行技術文献】
【特許文献】
【０００４】
【特許文献１】実開昭５５−５２２２８号公報
【特許文献２】実用新案登録第３１６１５９４号公報
【考案の概要】
【考案が解決しようとする課題】
【０００５】
しかしながら、上記特許文献１に記載された鎧戸用ブラシは、柄が可撓性を有するものでないことから、開口部から奥に行くにつれて屈曲しているような箇所を掃除するブラシとして適用することは困難であった。
【０００６】
一方、特許文献２に記載された掃除道具は、可撓性の線材部を有していることから、屈曲部の清掃に適しているものではあったが、複雑な構造で製造コストが嵩むものであった。また、清掃材可動手段の先端部に清掃材が固定されており、清掃材が擦り減った場合や汚れた場合の対応が困難であった。
【０００７】
本考案は、前記従来の課題を解決するものであり、屈曲した空間の清掃を容易に行うことができると共に、コスト高とならず、清掃体が擦り減った場合の対応も容易な清掃具を提供することを目的とする。
【課題を解決するための手段】
【０００８】
前記従来の課題を解決するために、請求項１の考案は、清掃具の考案であって、可撓性を有する線材と、前記線材の一方の端部に取り付けられた清掃体と、前記線材の他方の端部に取り付けられた把持体とを有することを特徴としている。
【０００９】
請求項１の清掃具は、線材が可撓性を有していることから、線材自体を屈曲させることができ、屈曲した空間の奥深くに清掃体を入り込ませることができるので、屈曲した空間の清掃を容易に行うことができる。
【００１０】
請求項２の考案は、請求項１の考案において、清掃体は、線材に着脱自在に取り付けられていることを特徴としている。したがって、清掃体が汚れた場合や、清掃体を構成するブラシ毛が擦り減った場合には、容易に新しい清掃体と交換することができる。
【００１１】
請求項３の考案は、請求項１又は２の考案において、線材を覆う弾性部材を有することを特徴としている。線材が可撓性を有する金属等の場合には、被清掃面に傷が付く恐れがあるが、線材を可撓性及び弾性を備えたチューブ等の弾性部材で覆うことによって、被清掃面に傷が付くのを防止することができる。
【考案の効果】
【００１２】
請求項１の考案は、屈曲した空間の清掃を容易に行うことができると共に、コスト高とならない清掃具を提供することができる。また、請求項２の考案は、清掃体が汚れた場合や、清掃体を構成するブラシ毛が擦り減った場合には、容易に新しい清掃体と交換することができる。また、請求項３の考案は、線材によって被清掃面に傷が付くのを防止することができる。
【図面の簡単な説明】
【００１３】
【図１】本考案に係る清掃具の第１実施形態を示す斜視図
【図２】（ａ）第１実施形態の清掃具の使用状態を示す斜視図（ｂ）同断面図
【図３】本考案に係る清掃具の第２実施形態を示す斜視図
【図４】（ａ）本考案に係る清掃具を構成する清掃体の着脱構造の一例を示す説明図（ｂ）本考案に係る清掃具を構成する清掃体の着脱構造の他例を示す説明図
【考案を実施するための形態】
【００１４】
以下、本考案の実施形態について、図面を参照しながら説明する。なお、この実施の形態によって本考案が限定されるものではない。
【００１５】
図１は、本考案に係る清掃具の第１実施形態を示す斜視図である。第１実施形態の清掃具１０は、可撓性を有する線材１と、線材１の一方の端部に取り付けられた清掃体２と、線材１の他方の端部に取り付けられた把持体３とを有している。そして、線材１は、可撓性を有する弾性部材４によって覆われている。
【００１６】
線材１は、可撓性を有する材質であればよく、種々の材質によって作成することができるが、その一例として、金属線の撚り線によって作成されたものを挙げることができる。また、線材１の長手方向の長さは、１００ｍｍ以上１２０ｍｍ以下の長さを想定している。
【００１７】
清掃体２は、種々の材質によって作成することができ、その一例として、合成樹脂製のブラシ、スポンジ、綿、布、不織布、毛糸等を挙げることができる。また、清掃体２の長手方向の長さは、５０ｍｍ以上６０ｍｍ以下の長さを想定している。
【００１８】
把持体３は、種々の材質によって作成することができ、その一例として、合成樹脂を挙げることができる。尚、把持体３の端部には、Ｃ字状の引っ掛け部３ａが形成されており、清掃具１０を使用しない場合には、引っ掛け部３ａを浴室等のフック等に引っ掛けて片付けることができる。
【００１９】
弾性部材４は、線材１を覆っていればよく、線材１を覆う形態としては、被覆であってもチューブであってもよい。また、可撓性及び弾性を有する材質であればよく、種々の材質によって作成することができる。その一例として、透明な合成樹脂製のチューブを挙げることができる。弾性部材４を透明にすることによって、チューブ内への塵埃の進入や、線材１が金属である場合のさびの発生を確認することができる。
【００２０】
図２（ａ）は、第１実施形態の清掃具の使用状態を示す斜視図であり、図２（ｂ）は、同断面図である。これらの図に示すように、浴室の窓や扉５等に換気を行うために形成された傾斜面を有するルーバー５ａ、５ｂ、５ｃに付着した塵埃６を取り除くためには、清掃具１０の使用者が浴室側に位置して清掃具１０の把持体３を把持すると共に、清掃体２をルーバー５ａ、５ｂ間に挿入する。そして、清掃具１０を前後方向及び左右方向に移動させることによって、ルーバー５ａ、５ｂ、５ｃに付着した塵埃６を清掃体２に付着させて取り除くことができる。その際に、線材１及び弾性部材４が可撓性を有しているので、容易に屈曲させることができ、清掃体２の傾斜面を有するルーバー５ａ、５ｂ間への挿入を容易に行うことができる。
【００２１】
図３は、本考案に係る清掃具の第２実施形態を示す斜視図である。第２実施形態の清掃具２０の第１実施形態の清掃具１０との相違点は、線材７及び弾性部材８の長手方向の長さを長くした点と、清掃体９の形態を変更した点にあり、その他の構成は第１実施形態の清掃具１０と同じであるので説明は省略し、相違点のみを以下に説明する。
【００２２】
第２実施形態の清掃具２０は、遊技機等の場合のように、奥行の長い屈曲部を備えた箇所を清掃するのに適した形態であり、線材７及び弾性部材８の長手方向の長さを長くしている。具体的には、３００ｍｍ前後の長さを想定している。また、清掃体９は、アクリルの毛糸によって形成された第１清掃体９ａと、第１清掃体９ａの後方に位置し、ねじりブラシからなる第２清掃体９ｂとから構成されている。そして、清掃時には、第１清掃体９ａのアクリルの毛糸には液体洗剤が塗布されて使用される。このように清掃体９を構成することによって、塵埃を取り除くと共に、汚れの強い清掃箇所にも対応させることができる。
【００２３】
図４（ａ）は、本考案に係る清掃具を構成する清掃体の着脱構造の一例を示す説明図である。この図に示すように、清掃体の端部に雄ネジ１１ａを有する接続金具Ａ１１を固定し、線材１の端部に雌ネジ１２ａを有する接続金具Ｂ１２を固定している。そして、接続金具Ａ１１が接続金具Ｂ１２と螺合することによって、清掃体２を線材１に着脱自在に取り付けることができる。このように構成することによって、清掃体２が汚れた場合や、清掃体を構成するブラシ毛が擦り減った場合には、容易に新しい清掃体と交換することができる。
【００２４】
図４（ｂ）は、本考案に係る清掃具を構成する清掃体の着脱構造の他例を示す説明図である。この図に示すように、清掃体の端部に丸型金具１３ａを有する接続金具Ｃ１３又は、Ｃ型フック１４ａを有する接続金具Ｄ１４を固定し、線材１の端部に、雌ネジが形成された接続板１５ａと、この接続板１５ａの雌ネジと螺合する雄ネジ１５ｂとを有する接続金具Ｅ１５を固定している。そして、接続金具Ｃ１３又は接続金具Ｄ１４が雄ネジ１５ｂの締め付けによって接続金具Ｅ１５に固定されることによって、清掃体２を線材１に着脱自在に取り付けることができる。
【００２５】
尚、第１実施形態の清掃具１０及び第２実施形態の清掃具２０において、線材１、７に清掃体２、９を固着して、清掃体２、９が汚れるまで又は、擦り減るまで使用する態様であってもよく、これも本考案に含まれる。
【産業上の利用可能性】
【００２６】
本考案に係る清掃具は、被清掃面として特に狭い空間や屈曲した空間等、通常は手の届き難い空間に付着した塵埃を除去する用途の清掃具として利用される。
【符号の説明】
【００２７】
１、７  線材
２、９  清掃体
３  把持体
３ａ  引っ掛け部
４、８  弾性部材
５  扉
５ａ、５ｂ、５ｃ  ルーバー
６  塵埃
９ａ  第１清掃体
９ｂ  第２清掃体
１０、２０  清掃具
１１  接続金具Ａ
１２  接続金具Ｂ
１３  接続金具Ｃ
１４  接続金具Ｄ
１５  接続金具Ｅ
【図１】
0003202593.tif 000003
【図２】
0003202593.tif 000004
【図３】
0003202593.tif 000005
【図４】
0003202593.tif 000006